(57)【要約】  【課題】  環境に配慮した生活を実践して地球への負荷を下げようという運動がある。このような運動を実践する者の間には、電気のムダづかいについても積極的に対処しようとする機運が見られる。しかしながら、電気のムダづかいについては、十分な満足が得られるほどの成果が得られていない。本発明は、電力のムダづかいを未然に防ぐためになされたものである。  【解決手段】  簡易型電力量表示器１０は、電気料金の予測額を表示する。これにより、ある状況で電気機器を使用した場合にどの程度の電力料金が必要になるかが事前に示されることになる。それを見た者は、そのまま電気機器を使用し続けるか、使い方を改めるか、考えることになる。また、どのように使うとどの程度の電力料金が必要になるかが分かるようになる。それらのことから、予測額を見る者は知らず知らずのうちに電力のムダづかいをしなくなる。【選択図】      図３
2009222546.tif 000002
【特許請求の範囲】
【請求項１】
電気器具に供給する電力に基づいて前記電力に対する電気料金の予測額を表示する電力情報表示装置。
【請求項２】
前記電力情報表示装置は、
前記電気器具に流れる電流を測定するための電流測定手段と、
前記電流測定手段に接続され、前記予測額を計算するための予測額計算手段と、
前記予測額計算手段に接続され、前記予測額計算手段が計算した前記予測額を表示するための表示手段とを備え、
前記予測額計算手段は、前記電流測定手段が測定した電流を示す測定電流値に基づいて前記予測額を計算する、請求項１に記載の電力情報表示装置。
【請求項３】
前記予測額計算手段は、
前記電力の電力量を記憶するための記憶手段と、
演算手段とを備え、
前記演算手段は、
時間を測定するための時間測定手段と、
前記電気器具に供給する供給電力量を計算し、かつ、前記記憶手段が記憶する電力量を更新するための電力量更新手段と、
単位時間あたりの電気料金を計算するための単位時間額計算手段とを有し、
前記電力量更新手段は、前記測定電流値に係数を乗算することで前記供給電力量を計算し、かつ、前記記憶手段が記憶する電力量を前記供給電力量に応じて更新し、
前記単位時間額計算手段は、前記記憶手段が記憶した電力量と前記時間測定手段が測定した時間と単位電力量あたりの電気料金とに基づいて前記単位時間あたりの電気料金を計算し、
前記表示手段は、前記単位時間あたりの電気料金を前記予測額として表示する、請求項２に記載の電力情報表示装置。
【請求項４】
前記記憶手段は、前記電力量に加え、前記電源から電力の供給が開始された時である計時開始時からの経過時間を記憶するための手段を有し、
前記記憶手段が記憶した電力量は、前記計時開始時以降に前記電気器具に供給した電力の積算電力量であり、
前記時間測定手段は、前記経過時間を測定し、
前記電力量更新手段は、前記供給電力量の分増加するよう、前記記憶手段が記憶する積算電力量を更新し、
前記単位時間額計算手段は、前記積算電力量の前記経過時間に関する商と前記単位電力量あたりの電気料金との積を計算する、請求項３に記載の電力情報表示装置。
【請求項５】
前記電力情報表示装置は、
前記電力を供給する電源に接続するための電源接続手段と、
前記電気器具に接続され、前記電源接続手段を介して前記電源が供給した電力を前記電気器具に供給するための電力供給手段とをさらに備え、
前記電流測定手段は、前記電力供給手段に接続され、前記電流を測定する、請求項２に記載の電力情報表示装置。
【発明の詳細な説明】
【技術分野】
【０００１】
本発明は、電力情報表示装置に関し、特に、電気器具の個別の消費電力量に応じた情報を知るために用いられる電力情報表示装置に関する。
【背景技術】
【０００２】
特許文献１は、積算電気料金を含む複数項目の数値を定められた順番で表示する簡易型電力量表示器を開示する。
【０００３】
特許文献１に開示された発明によると、ごく簡単な使用法によって電気器具ごとの消費電力量に応じた電気料金の目安を知ることができる。
【特許文献１】特開２０００‐１４７０１４号公報
【発明の開示】
【発明が解決しようとする課題】
【０００４】
しかし、特許文献１に開示された発明では、電気料金の目安を知ることができるものの、それに基づいて節電を図ることが難しいという問題点がある。ある電気器具をどのように使えば支払う電気料金を減らすことができるかということまでは予測できないからである。
【０００５】
本発明は上述の問題点を解決するためになされたものであって、その目的は、電気器具を使用する場合において消費電力を軽減するために有効な情報を表示する電力情報表示装置を提供することにある。
【課題を解決するための手段】
【０００６】
上記目的を達成するために、本発明のある局面に従うと、電力情報表示装置は、電気器具に供給する電力に基づいて電力に対する電気料金の予測額を表示する。
【０００７】
電気料金の予測額が表示されると、電気機器を使用した場合にどの程度の電力料金が必要になるかが事前に示されることになる。どの程度の電力料金が必要になるかが事前に示されるので、消費電力を軽減するために有効な対策を講じることが可能になる。そのため、電気器具を使用する場合において消費電力を軽減するために有効な情報が表示されたことになる。
【０００８】
また、上述の電力情報表示装置は、電流測定手段と、電流測定手段に接続された予測額計算手段と、予測額計算手段に接続された表示手段とを備えることが望ましい。電流測定手段は、電気器具に流れる電流を測定する。予測額計算手段は、電流測定手段が測定した電流を示す測定電流値に基づいて予測額を計算する。表示手段は、予測額計算手段が計算した予測額を表示する。
【０００９】
測定電流値に基づいて電力料金の予測額を予測額計算手段が計算し、表示手段が予測額を表示する。測定電流値に基づいて電力料金の予測額が計算されるので、予測額の有効性は高い。そのため、有効性が高い情報を表示できることとなる。
【００１０】
もしくは、上述の予測額計算手段は、記憶手段と、演算手段とを備えることが望ましい。記憶手段は、電力の電力量を記憶する。演算手段は、時間測定手段と、電力量更新手段と、単位時間額計算手段とを有する。時間測定手段は、時間を測定する。電力量更新手段は、電気器具に供給する供給電力量を計算し、かつ、記憶手段が記憶する電力量を更新する。電力量更新手段は、測定電流値に係数を乗算することで供給電力量を計算し、かつ、記憶手段が記憶する電力量を供給電力量に応じて更新する。単位時間額計算手段は、単位時間あたりの電気料金を計算する。単位時間額計算手段は、記憶手段が記憶した電力量と時間測定手段が測定した時間と単位電力量あたりの電気料金とに基づいて単位時間あたりの電気料金を計算する。あわせて、表示手段は、単位時間あたりの電気料金を予測額として表示することが望ましい。
【００１１】
測定電流値に係数を乗算することで供給電力量が計算される。記憶手段が記憶する電力量が供給電力量に応じて更新される。記憶手段が記憶した電力量に基づいて単位時間あたりの電気料金が計算され、それが電気料金の予測額として表示される。これにより、既に電気器具に供給された電流に基づいて電力料金の予測値が計算され、かつ、その予測値は電気器具に実際に供給された電流の変動を反映することになる。その結果、実際に供給された電流の変動を反映しない場合に比べ、その予測値の有効性は向上する。
【００１２】
もしくは、上述の記憶手段は、電力量に加え、計時開始時からの経過時間を記憶するための手段を有することが望ましい。計時開始時は、電源から電力の供給が開始された時である。あわせて、記憶手段が記憶した電力量は、計時開始時以降に電気器具に供給した電力の積算電力量であることが望ましい。あわせて、時間測定手段は、経過時間を測定することが望ましい。あわせて、電力量更新手段は、供給電力量の分増加するよう、記憶手段が記憶する積算電力量を更新することが望ましい。あわせて、単位時間額計算手段は、積算電力量の経過時間に関する商と単位電力量あたりの電気料金との積を計算することが望ましい。
【００１３】
単位時間額計算手段が、積算電力量の経過時間に関する商と単位電力量あたりの電気料金との積を計算する。これにより、電気器具に供給される電流が一時的に変化した場合であっても、それによる予測額の変動は抑制される。
【００１４】
もしくは、上述の電力情報表示装置は、電源接続手段と、電気器具に接続された電力供給手段とをさらに備えることが望ましい。電源接続手段は、電力を供給する電源に接続する。電力供給手段は、電源接続手段を介して電源が供給した電力を電気器具に供給する。
【発明の効果】
【００１５】
本発明に係る電力情報表示装置は、電気器具を使用する場合において消費電力を軽減するために有効な情報を表示できる。
【発明を実施するための最良の形態】
【００１６】
以下、図面を参照しつつ、本発明の実施の形態について説明する。以下の説明では、同一の部品には同一の符号を付してある。それらの名称および機能も同一である。したがって、それらについての詳細な説明は繰返さない。
【００１７】
図１は本実施の形態に係る簡易型電力量表示器１０の外観を示す図である。図２は本実施の形態に係る簡易型電力量表示器１０の背面図である。図１および図２に示すように、本実施の形態に係る簡易型電力量表示器１０の筐体は、ケース本体１２と蓋カバー１４とからなる。ケース本体１２は、耐熱ＡＢＳ（Acrylonitrile butadiene styrene）樹脂などの熱硬化性樹脂から成形されている。蓋カバー１４も同様である。
【００１８】
ケース本体１２の背面部には機器プラグ１６が設けられている。機器プラグ１６は、壁面等に固定設置されているコンセント（図示省略）に差し込まれる。機器プラグ１６は、回動可能な構造となっているので、蓋カバー１４に設けられた凹部に収容できる。
【００１９】
ケース本体１２の底面部にはコンセント１８が設けられている。コンセント１８は、各種の電気器具を差し込み可能である。
【００２０】
蓋カバー１４の表面部には矩形の開口部１４０が形成されている。この開口部１４０にはＬＣＤ（Liquid Crystal Display、液晶ディスプレイ）表示部３８が面している。
【００２１】
図３は、本実施の形態に係る簡易型電力量表示器１０の構成を示す図である。本実施の形態に係る簡易型電力量表示器１０は、変流器（CT）３０と、整流部兼積分部３２と、制御部３４と、ＲＯＭ（Read Only Memory）３６と、ＬＣＤ表示部３８と、電源部４０とを備える。
【００２２】
変流器３０は、機器プラグ１６からの入力電流を検出する。整流部兼積分部３２は、変流器３０が検出した電流を整流し、かつ、積分を行う。変流器３０と整流部兼積分部３２とによって、機器プラグ１６に接続された電気機器に流れる電流を測定するための電流測定モジュールが構成されることになる。
【００２３】
制御部３４は、次に述べる三つの役割を担当する。第１の役割は、機器プラグ１６をコンセントに差し込み接続した時点から積算通電時間をカウントするという役割である。第２の役割は、変流器３０で検出した入力電流に基づいて積算電力量を算出し、積算電力量に基づいて各種の情報（その一種が、電気器具に供給する電力に対する電気料金の予測額である）を生成するという役割である。第３の役割は、ＬＣＤ表示部３８を制御するという役割である。
【００２４】
制御部３４は、Ａ／Ｄ（Analog-Digital）変換部５０と、ＣＰＵ（Central Processing Unit）５２と、ＲＡＭ（Random Access Memory）６４とを備える。Ａ／Ｄ変換部５０は、整流部兼積分部３２が入力したアナログ信号（直流電圧として入力される）をデジタル信号に変換する。ＣＰＵ５２は、ＲＯＭ３６が記憶したプログラムを実行することにより、Ａ／Ｄ変換部５０が入力したデジタル信号に基づいて演算や制御を行う。ＲＡＭ６４は、そのプログラムを実行するために必要な情報を記憶する。ＲＡＭ６４が記憶する情報の例として、上述した積算電力量がある。ＲＡＭ６４に記憶される情報については後述する。
【００２５】
なお、本実施の形態において、制御部３４を構成する各モジュール（Ａ／Ｄ変換部５０、ＣＰＵ５２、およびＲＡＭ６４）は一体化されているが、説明の便宜上、独立したモジュールであるものとみなす。
【００２６】
ＲＯＭ３６は、ＣＰＵ５２が実行するプログラムやそのプログラムを実行するために必要な情報を記憶する。
【００２７】
ＬＣＤ表示部３８は、積算電力量、積算電気料金、二酸化炭素排出量、あるいは一時間当たりの電気料金を表示する。その詳細は後述する。電源部４０は、機器プラグ１６からの入力電流によって制御部３４やＬＣＤ表示部３８の動作に必要な電源を作り出す。
【００２８】
図４は、本実施の形態に係るＬＣＤ表示部３８の外観を示す図である。図４に示すように、ＬＣＤ表示部３８は、数値表示部３８０ と、動作表示部３８２と、単位記号表示部３８４とを有している。数値表示部３８０ は、７セグメントが８の字形状に配置されており、３桁の数値を表示する。動作表示部３８２は、数値表示部３８０の最上位桁左側に設けられており、ドット点滅する。単位記号表示部３８４は、数値表示部３８０の最下位桁右側において、単位記号である「円」、「ｋＷｈ」、「ｋｇ−ＣＯ２」及び「円／時間」を表示する。後述する複数の表示項目にこれらの単位記号は対応する。
【００２９】
ＬＣＤ表示部３８は、上述した情報を３桁の数値として表示する。それらの各表示方法および表示範囲は次のように設定している。
【００３０】
積算電気料金の場合；
範囲は１円から９９９円まで。最小単位は円である。表示方法は、小数点以下の値は表示しないという方法である。
【００３１】
積算電力量の場合；
範囲は０．０１ｋＷｈから９９９ｋＷｈまで。表示方法は、小数点を移動させて表示するという方法である。
【００３２】
二酸化炭素排出量の場合；
範囲は０．０１ｋｇ−ＣＯ２から９９９ｋｇ−ＣＯ２まで。表示方法は、小数点を移動させて表示するという方法である。
【００３３】
一時間当たりの電気料金の場合；
範囲は０．１円から９９．９円まで。表示方法は、最小単位が０．１円で、小数点以下1桁まで表示するという方法である。
【００３４】
図５は、本実施の形態に係る制御部３４およびＲＯＭ３６によって実現される予測額計算モジュール（このモジュールは、電気料金の予測額を計算するモジュールである。この電気料金は、電気器具に供給する電力に対する料金である。この電気料金は、電流測定モジュールが測定した電流値に基づいて計算される。）の機能ブロック図である。本実施の形態に係る予測額計算モジュールは、演算部７０と、記憶部７２とを備える。演算部７０は、演算や制御を行う。記憶部７２は、演算部７０が演算や制御を行うために必要な情報を記憶する。
【００３５】
演算部７０は、経過時間測定部８０と、電力量更新部８２と、合計料金計算部８４と、二酸化炭素排出量計算部８６と、単位時間額計算部８８と、表示制御部９０とを備える。経過時間測定部８０は、機器プラグ１６をコンセントに差し込み接続した時点からの積算通電時間、すなわち、電源から電力の供給が開始された時からの経過時間をカウントする。電力量更新部８２は、記憶部７２に記憶された積算電力量のデータを更新する。合計料金計算部８４は、単位電力量当たりの電気料金（本実施の形態の場合、２２円／ｋＷｈ）を積算電力量に乗算して、電気料金の合計を算出する。二酸化炭素排出量計算部８６は、単位電力量当たりの二酸化炭素排出量（本実施の形態の場合、０．５５５ｋｇ／ｋＷｈ）を積算電力量に乗算することで、排出された二酸化炭素量の合計を算出する。単位時間額計算部８８は、積算電力量を積算通電時間で除算し、その商に単位電力量当たりの電気料金を乗算し、単位時間当りの電気料金を算出する。単位時間額計算部８８が算出した電気料金は、それまでと同様にして電気製品が使用された場合、単位時間が経過した後に必要となる電気料金を示すので、電気料金の予測値でもある。表示制御部９０は、記憶部７２に記憶された情報を表示するようにＬＣＤ表示部３８を制御する。
【００３６】
電力量更新部８２は、電力量計算部１００と、記憶値更新部１０２とを備える。電力量計算部１００は、電流値を示す情報（この情報は、整流部兼積分部３２が入力した情報である）に基づいて、電力量を算出する。電力量計算部１００は、この情報が示す電流値に電圧（本実施の形態の場合、１００ボルトの一定値であることとする）と力率（本実施の形態の場合、１００％の一定値であることとする）とサンプリング間隔（本実施の形態の場合２０分の１秒であることとする）とを乗算する。これにより、電力量が算出される。記憶値更新部１０２は、電力量計算部１００は計算した電力量と記憶部７２が記憶した積算電力量との和を算出し、記憶部７２が記憶する積算電力量を更新する。記憶部７２が記憶する積算電力量は、その和となるように更新される。
【００３７】
記憶部７２は、経過時間記憶部１１０と、積算電力量記憶部１１２と、合計料金記憶部１１４と、二酸化炭素排出量記憶部１１６と、予測額記憶部１１８とを備える。経過時間記憶部１１０は、機器プラグ１６をコンセントに差し込み接続した時点からの積算通電時間（本実施の形態においては、積算通電時間の単位は「秒」であることとする）を記憶する。この積算通電時間は、経過時間測定部８０によって更新される。積算電力量記憶部１１２は、積算電力量を記憶する。この積算電力量は、記憶値更新部１０２によって更新される。合計料金記憶部１１４は、電気料金の合計を記憶する。この合計は、合計料金計算部８４によって更新される。二酸化炭素排出量記憶部１１６は、二酸化炭素排出量の合計を記憶する。この合計は、二酸化炭素排出量計算部８６によって更新される。予測額記憶部１１８は、電気料金の予測額を記憶する。この額は、単位時間額計算部８８によって更新される。
【００３８】
図６〜図８は、簡易型電力量表示器１０の計測表示処理を示すフローチャートである。図９は、図６に示すＳ１３３の処理（情報生成処理）を具体的に示すフローチャートである。図６〜図９を参照して、本実施の形態に係る簡易型電力量表示器１０の計測表示動作を説明する。
【００３９】
［表示開始直後の場合］
ユーザがコンセント１８に所望の電気器具のプラグを差し込み接続した上、機器プラグ１６をコンセントに差し込み接続すると、表示制御部９０（実際にはＣＰＵ５２）がＬＣＤ表示部３８の表示を全てリセットする（ステップＳ１２１，Ｓ１２２）。
【００４０】
コンセント１８への機器プラグ１６の差し込み接続と同時にコンセント１８に接続した電気器具に消費電力があるか否かが判定され（ステップＳ１２３）、消費電力がある場合（ステップＳ１２３にてＹＥＳ）、表示制御部９０の制御により、ＬＣＤ表示部３８の動作表示部３８２にドットが１秒間隔で点滅表示される（ステップＳ１２４）。
【００４１】
ドットが点滅表示されると、積算電気料金及びそれに対応する単位記号である「円」、積算電力量の数値及びそれに対応する単位記号である「ｋＷｈ」、二酸化炭素排出量の数値及びそれに対応する単位記号である「ｋｇ−ＣＯ２」、ならびに、電気料金の予測額及びそれに対応する単位記号である「円／時間」が、この順番、かつ、３秒の時間間隔となるように、ＬＣＤ表示部３８の数値表示部３８０及び単位記号表示部３８４にサイクリックに表示されることになる（ステップＳ１２６〜Ｓ１３２）。積算電気料金、積算電力量、二酸化炭素排出量、および電気料金の予測額は、表示制御部９０からＬＣＤ表示部３８に出力される（表示開始直後の場合、まだそれらが算出されていないので、それらの代わりにデフォルト値が出力される）。
【００４２】
積算電気料金、積算電力量、二酸化炭素排出量、および電気料金の予測額が表示されると、電力量計算部１００（実際にはＣＰＵ５２）は、整流部兼積分部３２が入力した電流値（本実施の形態の場合、電流値の単位はアンペアであることとする）に基づき電気器具に流れる電力量を算出する（ステップＳ１７０）。本実施の形態の場合、電力量計算部１００は、その電流値に電圧１００ボルトと力率１００％と電流値のサンプリング間隔（２０分の１秒）とを乗算することにより電力量を算出する。
【００４３】
電力量が算出されると、記憶値更新部１０２（実際にはＣＰＵ５２）は、積算電力量記憶部１１２（実際にはＲＡＭ５４）からそこに記憶された積算電力量を読み出す。積算電力量が読み出されると、記憶値更新部１０２は、ステップＳ１４０にて算出された電力量とその積算電力量とを合算し、合算の結果得られた値を積算電力量記憶部１１２に記憶させる。これにより、積算電力量記憶部１１２に記憶される積算電力量は更新される（ステップＳ１７１）。
【００４４】
積算電力量が更新されると、合計料金計算部８４（実際にはＣＰＵ５２）は、積算電力量記憶部１１２からそこに記憶された積算電力量を読み出す。積算電力量が読み出されると、合計料金計算部８４は、その積算電力量を３６００秒で除算し、１ｋＷｈ当たりの電気料金（本実施の形態の場合２２円／ｋＷｈとする）を乗算することで積算電気料金を算出する。この電気料金は、積算電力量記憶部１１２に記憶された積算電力量に対応する。電気料金が算出されると、合計料金計算部８４は、算出された積算電気料金（合計料金）を合計料金記憶部１１４に記憶させる（ステップＳ１７２）。
【００４５】
合計料金が記憶されると、二酸化炭素排出量計算部８６（実際にはＣＰＵ５２）は、積算電力量記憶部１１２からそこに記憶された積算電力量を読み出す。積算電力量が読み出されると、二酸化炭素排出量計算部８６は、その積算電力量を３６００秒で除算し、１ｋＷｈの電力量の電力を発電する際に排出される二酸化炭素量（本実施の形態の場合０．５５５ｋｇ−ＣＯ２／ｋＷｈとする）を乗算する。これにより、積算電力量記憶部１１２に記憶された積算電力量に対応する二酸化炭素量が算出される。二酸化炭素量が算出されると、二酸化炭素排出量計算部８６は、二酸化炭素排出量記憶部１１６（実際にはＲＡＭ５４）に記憶された二酸化炭素排出量を読み出し、自らが算出した二酸化炭素量と合算する。その後、二酸化炭素排出量計算部８６は、合算の結果算出された二酸化炭素排出量を二酸化炭素排出量記憶部１１６に記憶させる（ステップＳ１７３）。
【００４６】
二酸化炭素排出量が記憶されると、単位時間額計算部８８（実際にはＣＰＵ５２）は、積算電力量記憶部１１２からそこに記憶された積算電力量を読み出す。積算電力量が読み出されると、合計料金計算部８４は、その積算電力量に３６００秒を乗算し、経過時間１１０（実際にはＲＡＭ５４）に記憶された秒数で除算し、１ｋＷｈ当たりの電気料金をさらに乗算することで電気料金を算出する。この電気料金は、電気器具が消費した電力に対する１時間分の電気料金の平均値である。通常、電気器具は継続して使用されることが多いので、この電気料金は１時間後に支払いが必要となる電気料金の予測値となる。電気料金が算出されると、単位時間額計算部８８は、予測額記憶部１１８（実際にはＲＡＭ５４）にその電気料金を記憶させる。これにより、予測額記憶部１１８に記憶される電気料金は更新される（ステップＳ１７４）。
【００４７】
電気料金の予測値が記憶されると、表示制御部９０は、合計料金記憶部１１４から合計料金を読み出す。合計料金が読み出されると、表示制御部９０は、その合計料金が９９９円未満か否かを判断する（ステップＳ１３４）。この場合、合計料金が９９９円未満と考えられるので（ステップＳ１３４にてＹＥＳ）、経過時間測定部８０は、経過時間記憶部１１０から積算通電時間を読み出す。積算通電時間が読み出されると、経過時間測定部８０は、積算通電時間が「９９９×６０×６０」という式で算出される時間未満か否か（つまり、積算通電時間が９９９時間か否か）を判断する（ステップＳ１３５）。この場合、積算通電時間が９９９時間未満と考えられるので（ステップＳ１３５にてＹＥＳ）、ステップＳ１２５以降の処理が繰返される。
【００４８】
図１０は、本実施の形態にかかるＬＣＤ表示部３８の表示形態を示す概念図である。ステップＳ１２５〜ステップＳ１３５の処理が繰返されている間、演算部７０で算出された積算電気料金、積算電力量、二酸化炭素排出量および電気料金の予測値は、ＲＯＭ３６に記憶されたプログラムにおいて予め設定されている順番及び時間間隔、すなわち、積算電気料金、積算電力量、二酸化炭素排出量、電気料金の予測値の順番で、かつ、3秒間隔で表示される。これらは、ＬＣＤ表示部３８の数値表示部３８０にサイクリックに表示される。同時に、単位記号表示部３８４には、各表示項目に対応する「円」、「ｋＷｈ」、「ｋｇ−ＣＯ２」「円／時間」の順番で単位記号が表示される。さらに、コンセント１８に差し込み接続した電気器具に電力消費がある場合、ＬＣＤ表示部３８の動作表示部３８２には、ドットが1秒間隔で点滅表示される。
【００４９】
なお、ステップＳ１２５〜ステップＳ１３５の処理が繰返されている間に機器プラグ１６をコンセントから引き抜くと、電源部４０に電力が供給されなくなり、かつＲＡＭ６４に記憶された情報がすべて抹消される。このため、ＬＣＤ表示部３８の表示がすべてリセットされる。この後機器プラグ１６を再度コンセントに差し込み接続することにより、最初から計測表示が開始される。
【００５０】
［合計料金が９９９円以上になった場合］
ステップＳ１３３までの処理（すなわちステップＳ１７４までの処理）を経て、表示制御部９０は、合計料金記憶部１１４から合計料金を読み出す。合計料金が読み出されると、表示制御部９０は、その合計料金が９９９円未満か否かを判断する（ステップＳ１３４）。この場合、合計料金が９９９円以上なので（ステップＳ１３４にてＮＯ）、電力量計算部１００は、電流値を示す情報のサンプリングを停止する（ステップＳ１４０）。
【００５１】
サンプリングが停止されると、表示制御部９０は、「９９９」という数値と「円」という単位とをＬＣＤ表示部３８に表示させる（ステップＳ１４１）。それらが表示されてから３秒間が経過した後（ステップＳ１４２）、表示制御部９０は、積算電力量記憶部１１２が記憶した積算電力量を読み出す。積算電力量が読み出されると、表示制御部９０は、積算電力量を示す数値と「ｋＷｈ」という単位とをＬＣＤ表示部３８に表示させる（ステップＳ１４３）。それらが表示されてから３秒間が経過した後（ステップＳ１４４）、表示制御部９０は、二酸化炭素排出量記憶部１１６が記憶した二酸化炭素排出量を読み出す。二酸化炭素排出量が読み出されると、表示制御部９０は、二酸化炭素排出量を示す数値と「ｋｇ−ＣＯ２」という単位とをＬＣＤ表示部３８に表示させる（ステップＳ１４５）。それらが表示されてから３秒間が経過した後（ステップＳ１４６）、表示制御部９０は、予測額記憶部１１８が記憶した電気料金の予測値（最後に算出された一時間あたりの電気料金）を読み出す。電気料金の予測値が読み出されると、表示制御部９０は、その予測値を示す数値と「円／時間」という単位とをＬＣＤ表示部３８に表示させる（ステップＳ１４７）。それらが表示されてから３秒間が経過した後（ステップＳ１４８）、ステップＳ１４１以降の処理が繰返される。このようにして、積算電力量、積算電気料金、二酸化炭素量、および電気料金の予測額がサイクリックに表示される。
【００５２】
［積算電力量が９９９ｋＷｈ以上になった場合］
ステップＳ１３４までの処理を経て、経過時間測定部８０は、経過時間記憶部１１０から積算通電時間を読み出す。積算通電時間が読み出されると、経過時間測定部８０は、積算通電時間が９９９時間か否かを判断する（ステップＳ１３５）。この場合、積算通電時間が９９９時間以上なので（ステップＳ１３５にてＹＥＳ）、電力量計算部１００は、電流値を示す情報のサンプリングを停止する（ステップＳ１５０）。
【００５３】
サンプリングが停止されると、表示制御部９０は、合計料金記憶部１１４が記憶した合計料金を読み出す。合計料金が読み出されると、表示制御部９０は、合計料金を示す数値と「円」という単位とをＬＣＤ表示部３８にフリッカー表示（点灯時間が０．５秒で消灯時間が０．５秒になる表示のこと）させる（ステップＳ１５１）。それらが表示されてから３秒間が経過した後（ステップＳ１５２）、表示制御部９０は、積算電力量記憶部１１２が記憶した積算電力量を読み出す。積算電力量が読み出されると、表示制御部９０は、積算電力量を示す数値と「ｋＷｈ」という単位とをＬＣＤ表示部３８にフリッカー表示させる（ステップＳ１５３）。それらが表示されてから３秒間が経過した後（ステップＳ１５４）、表示制御部９０は、二酸化炭素排出量記憶部１１６が記憶した二酸化炭素排出量を読み出す。二酸化炭素排出量が読み出されると、表示制御部９０は、二酸化炭素排出量を示す数値と「ｋｇ−ＣＯ２」という単位とをＬＣＤ表示部３８にフリッカー表示させる（ステップＳ１５５）。それらが表示されてから３秒間が経過した後（ステップＳ１５６）、表示制御部９０は、最後に算出された一時間あたりの電気料金を予測額記憶部１１８から読み出す。その電気料金が読み出されると、表示制御部９０は、その電気料金を示す数値と「円／時間」という単位とをＬＣＤ表示部３８にフリッカー表示させる（ステップＳ１５７）。それらが表示されてから３秒間が経過した後（ステップＳ１５８）、ステップＳ１５１以降の処理が繰返される。このようにして、積算通電時間がフル（９９９時間）になった場合は、積算電力量、積算電気料金、二酸化炭素量、および電気料金の予測額がサイクリックにフリッカー表示される。
【００５４】
以上説明したように、本発明によれば、コンセント１８に差し込み接続された電気器具の積算電力量と積算電力量に応じた積算電気料金と二酸化炭素排出量と一時間当たりの電気料金とをＬＣＤ表示部３８に設定時間間隔で表示させることができる。そのための操作は、コンセント１８に所望の電気器具を差し込み接続し、かつ、壁面等に固定設置されているコンセントに機器プラグ１６を差し込み接続するという簡単な操作である。表示されたそれらの数値を読み取ると、積算電力量、積算電気料金、二酸化炭素排出量、一時間当たりの電気料金の目安を電気器具ごとに任意に知ることができる。それらの目安を知ることができるので、それに基づいて節電対策などを容易に実行することができる。しかも、それらの数値を単一のＬＣＤ表示部３８にサイクリックに表示させるようにすることで、表示数値の字体の大きさを読み間違いなどが生じない大きさとしつつ、ＬＣＤ表示部３８の占有面積を小さくできる。ＬＣＤ表示部３８の占有面積を小さくすることで、簡易型電力量表示器１０全体の軽量化、コンパクト化を図ることができる。簡易型電力量表示器１０全体の軽量化、コンパクト化を図ることで、その取扱いを非常に簡便なものとすることができる。
【００５５】
なお、図３に示した構成の電力情報表示装置は、電気器具に内蔵されたものであってもよい。その場合、機器プラグ１６やコンセント１８は必ずしも必要ではない。また、その他のモジュールも、電気器具において他の用途に用いられるモジュールと兼用されるものであってもよい。電気器具に供給する電力に基づくのであれば、電流測定モジュールが測定した電流ではなく、その他の物理量に基づいて（例えば、電流値と温度との相関関係を予め特定しておき、温度センサが測定した温度に基づいて）、積算電力量を算出するものであってもよい。
【００５６】
また、電気料金の予測額を算出するアルゴリズムは、上述したものに限られない。例えば、積算電力量記憶部１１２が直近１時間分の積算電力量のみを記憶しており、それに基づいて予測額を算出するものであってもよい。電気器具に供給する電力に基づくのであれば、予測額は積算電力量に基づいて算出される額でなくともよい。たとえば、電力量計算部１００が算出した電力量の推移から最小自乗法によって特定された額であってもよい。
【００５７】
今回開示された実施形態はすべての点で例示である。本発明の範囲は上述した実施形態に基づいて制限されるものではなく、本発明の趣旨を逸脱しない範囲で種々の設計変更をしてもよいのはもちろんである。
【図面の簡単な説明】
【００５８】
【図１】本発明の実施の形態に係る簡易型電力量表示器の外観を示す図である。
【図２】本発明の実施の形態に係る簡易型電力量表示器の背面図である。
【図３】本発明の実施の形態に係る簡易型電力量表示器の構成を示す図である。
【図４】本発明の実施の形態に係るＬＣＤ表示器の外観を示す図である。
【図５】本発明の実施の形態に係る予測額計算モジュールの機能ブロック図である。
【図６】本発明の実施の形態に係る計測表示処理の制御の手順を示す第１のフローチャートである。
【図７】本発明の実施の形態に係る計測表示処理の制御の手順を示す第２のフローチャートである。
【図８】本発明の実施の形態に係る計測表示処理の制御の手順を示す第３のフローチャートである。
【図９】本発明の実施の形態に係る情報生成処理の制御の手順を示すフローチャートである。
【図１０】本発明の実施の形態に係るＬＣＤ表示器の表示形態を示す図である。
【符号の説明】
【００５９】
１０  簡易型電力量表示器、１２ ケース本体、１４   蓋カバー、１６  機器プラグ、１８  コンセント、３０  変流器、３２  整流部兼積分部、３４       制御部、３６  ＲＯＭ、３８      ＬＣＤ表示部、４０ 電源部、５０ Ａ／Ｄ変換部、５２  ＣＰＵ、５４  ＲＡＭ、７０       演算部、７２ 記憶部、８０       経過時間測定部、８２  電力量更新部、８４  合計料金計算部、８６  二酸化炭素排出量計算部、８８  単位時間額計算部、９０       表示制御部、１００  電力量計算部、１０２  記憶値更新部、１１０  経過時間記憶部、１１２       積算電力量記憶部、１１４  合計料金記憶部、１１６  二酸化炭素排出量記憶部、１１８  予測額記憶部、１４０  開口部、３８０  数値表示部、３８２  動作表示部、３８４  単位記号表示部
【図１】
2009222546.tif 000003
【図２】
2009222546.tif 000004
【図３】
2009222546.tif 000005
【図４】
2009222546.tif 000006
【図５】
2009222546.tif 000007
【図６】
2009222546.tif 000008
【図７】
2009222546.tif 000009
【図８】
2009222546.tif 000010
【図９】
2009222546.tif 000011
【図１０】
2009222546.tif 000012